(57)【要約】      （修正有）【課題】開離嵌挿具を開く際、垂直方向以外に水平方向にも着脱が可能となり、スライダーを引き下げるときの惰力により差込部材を外すことができる離嵌挿具を提供する。【解決手段】開離嵌挿具は、第１ファスナーストリンガー２の下端に配された支持部材７と、第２ファスナーストリンガー２’の下端に配された差込部材８とから構成される。支持部材７は、支持部と膨出部とを有し、膨出部の表面には差込部材８の挿入方向に向けて傾斜する第１ファスナーストリンガー２の長手方向と交差する溝部が形成されている。その底部平面には磁性体又は磁石が固着されている。差込部材８は、差込板１０と突出部２０とを有しており、突出部２０には前記磁性体又は磁石と吸着可能な磁性体１７’が固着されている。【選択図】図２
0003170902.tif 000002
【実用新案登録請求の範囲】
【請求項１】
第１ファスナーストリンガー２の一端部に配置された支持部材７と、第２ファスナーストリンガー２’の前記支持部材７に対向する端部に配置された差込部材８とを有するスライドファスナーの開離嵌挿具５であって、
前記支持部材７における自由端部７ａの片面に前記差込部材８の自由端部８ａを差し込むための溝部１５を有しており、
前記支持部材７と前記差込部材８との少なくとも一方に磁石１８，１８’が配され、少なくとも他方に磁性体１７，１７’が配されており、
前記支持部材７の前記溝部１５は、ファスナーストリンガー２の長手方向と交差するように、差込部材８の差し込み方向に斜めに形成されている、ことを特徴とするスライドファスナー用開離嵌挿具。
【請求項２】
前記支持部材７の前記溝部１５は、端部側側壁１２と、務歯側側壁１３と、前記端部側側壁１２及び務歯側側壁１３とによって挟まれた底部平面１４とを有する上下端部が連通して形成され、溝断面は概ね、一辺が開放された四角形の形状であり、その底部平面１４のファスナー長手方向下端部には前記磁石１８，１８’又は磁性体１７，１７’が前記底部平面１４と略同一平面となるよう固着されてなることを特徴とする請求項１記載のスライドファスナー用開離嵌挿具。
【請求項３】
前記差込部材８の前記自由端部８ａは、前記溝部１５に向けて所定の差込み角度θで屈曲してなることを特徴とする請求項１記載のスライドファスナー用開離嵌挿具。
【請求項４】
支持部材７の前記溝部１５の底部平面１４に固着される前記磁石１８，１８’又は磁性体１７，１７’の中心位置は、務歯噛合時の噛合中心線の延長線上に配されてなる請求項１又は２に記載のスライドファスナー用開離嵌挿具。
【請求項５】
前記溝部１５は、前記差込部材８の前記自由端部８ａの先端部に固着された磁石１８，１８’又は磁性体１７，１７’と、前記支持部材７の底部平面１４に固着された磁性体１７，１７’又は磁石１８，１８’とが溝部内で吸着しているとき、前記差込部材８が前記差込位置と上記務歯噛合時の噛合中心線との間を、磁性体１７，１７’又は磁石１８，１８’を中心として回動する溝幅を有してなることを特徴とする請求項４記載のスライドファスナー用開離嵌挿具。
【請求項６】
前記磁性体１７，１７’及び／又は前記磁石１８，１８’が、同一直径の円盤からなる請求項１〜３のいずれか１項に記載のスライドファスナー用開離嵌挿具。
【請求項７】
前記支持部材７と前記差込部材８との自由端部７ａ，８ａは、その吸着重合時における重合面を挟んで、それぞれが第１及び第２ファスナーストリンガー２，２’よりも肉厚でストリンガーの長さ方向に延出する膨出部２１と突出部２０とを有してなる請求項１〜５のいずれかに記載のスライドファスナー用開離嵌挿具。
【請求項８】
前記左右のファスナーストリンガー２，２’が噛合状態にあって、左右のファスナーストリンガー２，２’がお互いに離間する方向に力がかかったときに、前記溝部１５に挿入されている前記突出部２０と、溝部１５の前記端部側側壁１２とが接触し、端部側側壁１２が突出部２０のファスナーストリンガー幅方向への移動を妨げるように構成されてなる請求項７記載のスライドファスナー用開離嵌挿具。
【請求項９】
前記突出部２０は、頭部１９と、連結部１６とからなる請求項８記載のスライドファスナー用開離嵌挿具。
【請求項１０】
前記膨出部２１の下端部表面には、ファスナーストリンガー２の長手方向端部に向けて下り傾斜となるテーパー部２２が形成されてなる請求項６又は７に記載のスライドファスナー用開離嵌挿具。
【請求項１１】
前記突出部２０は、頭部１９と連結部１６とを有する請求項７〜１０のいずれかに記載のスライドファスナー用開離嵌挿具。
【請求項１２】
請求項１〜１０のいずれかに記載のスライドファスナー用開離嵌挿具を有するスライドファスナー。
【請求項１３】
請求項１〜１１のいずれかに記載されたスライドファスナー用開離嵌挿具を有するスライドファスナーにあって、スライダー４を使用することなく磁力で開閉する務歯を備えてなるスライドファスナー。
【考案の詳細な説明】
【技術分野】
【０００１】
本考案は、スライドファスナーの開離嵌挿具とその開離嵌挿具を備えたスライドファスナーに関し、より詳細には、いわゆるサイドオープンタイプのスライドファスナーの開離嵌挿具及び同開離嵌挿具を有するスライドファスナーに関するものである。
【背景技術】
【０００２】
従来、ファスナーチェーンのサイドから開離嵌挿操作ができるサイドオープンタイプの開離嵌挿具の例が、例えば米国特許第４１３９９２７号明細書（特許文献１）に開示されている。この特許文献１に開示された開離嵌挿具は、図９に示すように、左右のファスナーストリンガー１０２，１０２’のそれぞれの下端に、ピン１０７ａを突設した保持部材１０７と、前記ピン１０７ａと係合するソケット１０８ａを設けた差込部材１０８とを有しており、ピン１０７ａとソケット１０８ａとを係合させることによって、前記ピン１０７ａを中心として差込部材１０８を回動させて、保持部材１０７に保持されたスライダー１０４の側方からフランジ間に嵌入し、ファスナーチェーン下端の開離嵌挿具を閉鎖させる。ファスナーチェーンを開離させるときは、差込部材１０８をピン１０７ａを中心として逆方向に回動させて、スライダー１０４の側方から外したのち、前記差込部材１０８のソケット１０８ａをピン１０７ａの軸線方向に操作して保持部材１０７のピン１０７ａから抜く。
【０００３】
また同じくサイドオープンタイプの開離嵌挿具の他の例が、特開２０００−２３２９０８号公報（特許文献２）に開示されている。この開離嵌挿具は、図１０に示すように、一方のファスナーストリンガー２０２の下端に、側面に差込凹溝２２４を形成した結合片（保持部材）２０７を設け、同結合片２０７の先端に形成された円板状の基部の中央にスナップタイプの突起２２１を突設した雄係合部２２０を設け、他方のファスナーストリンガー２０２’の下端に、前記結合片２０７の側面に形成された差込凹溝２２４に差し込むことのできる差込部２１０を有する係止片（差込部材）２０８を設けている。係止片２０８の先端に形成された円板状の基部の中央にスナップタイプの凹孔２３１をもつ雌係合部２３４を設け、雄係合部２２０と雌係合部２３４とをスナップ係合させた後、係止片２０８を回動させてその差込部２１０をスライダーのフランジ間及び結合片２０７の差込凹溝２２４に差し込み、スライダーを引き上げてファスナーチェーンを閉鎖させる。
【０００４】
更に他のサイドオープンタイプの開離嵌挿具の一例が、例えば特開２００４−２４８８０９号公報（特許文献３）に開示されている。この開離嵌挿具は、図１１に示すように、水平に係脱可能な保持部材３１０と差込部材３１１とを合成樹脂から成形し、両部材３１０，３１１の下端を互いに重合し、かつ摺接回動できる摺接板３１２，３１３を一体に設け、摺接板３１２，３１３の重合面に互いに吸引できる磁性体３１７を配設することによって、保持部材３１０と差込部材３１１とを磁力を用いて自動的に吸引し、両部材３１０，３１１のセンター合わせ操作及び閉鎖操作をきわめて簡易に行うことができるようにしている。
【先行技術文献】
【特許文献】
【０００５】
【特許文献１】米国特許第４１３９９２７号明細書（４欄、図１〜４）
【特許文献２】特開２０００−２３２９０８号公報（段落番号0022〜0028、図1 〜3)
【特許文献３】特開２００４−２４８８０９号公報
【考案の概要】
【考案が解決しようとする課題】
【０００６】
しかして、上記特許文献１に開示されたスライドファスナーの開離嵌挿具は、左右のファスナーストリンガーの下止具の各下端に、ファスナー面に直角に突出するピンと同ピンに係合するソケットとを設け、ピン及びソケットのセンター合わせを行った後に、ピンとソケットとを係合させなければならない。上記特許文献２に開示された開離嵌挿具も同様に左右の下止具にそれぞれ形成された突起と凹構とを心合わせしたのち係合させねばならない。このように特許文献１及び２に開示された開離嵌挿具にあっては、その開閉操作が極めて面倒であり、特に子供、老人にとっては難儀な操作であるなどの問題がある。
【０００７】
更に、上記特許文献３に開示されたスライドファスナーの開離嵌挿具は、左右のファスナーストリンガーの端部に設けた保持部材と差込部材とを磁性体を用いて自動的に吸引するため、両部材のセンター合わせ操作及び閉鎖操作を簡易に行うことができる。しかしながら、その具体例によれば、一方の磁性体の中央に凸部を突出させ、他方の磁性体の中央に凹部を設ける場合と、前記磁性体同士の重合面を平坦に形成するとともに、一方の磁性体の外周に半円弧を越える円弧長さをもつ周壁で囲んでいる場合が例示されている。この場合、いずれにしても磁性体同士を水平方向に摺動させることができず、開離嵌挿具の開閉操作を行うにあたっては、一対の下止具をファスナー面に対して垂直方向（ボタン着脱方向）へと相対的に移動させる以外は下止具同士を脱着することができない。
【０００８】
本考案は、こうした問題点を踏まえて開発されたものであり、開離嵌挿具における支持部材と差込部材との開閉操作を、ファスナー面に対する垂直方向の相対的な移動以外にも水平方向の移動により着脱が可能となり、更にはスライダーを下ろす力の惰力によって簡単に支持部材と差込部材との開離嵌挿操作ができるスライドファスナー用開離嵌挿具を提供することが主たる目的である。
【０００９】
また、本考案は上述した主たる目的に加え、スライドファスナーにおけるサイドオープンタイプの開離嵌挿具において、差込部材が支持部材に乗り上げることなく位置決めでき、かつ磁性体を配置するスペースを十分確保した上で軽量かつコンパクトなスライドファスナーの開離嵌挿具を提供することを目的としている。
【００１０】
更に、本考案は上述した主たる目的に加え、スライドファスナーにおけるサイドオープンタイプの開離嵌挿具において、差込部材をより安定して保持できるスライドファスナーの開離嵌挿具を提供することを目的としている。
【００１１】
更にまた、本考案は上述した主たる目的に加え、スライドファスナーにおけるサイドオープンタイプの開離嵌挿具において、突出部を溝部に挿入する際に、差込部材が支持部材の正しいセット位置へと効率よく誘導できるスライドファスナーの開離嵌挿具を提供することを目的としている。
【００１２】
更にまた、本考案は上述した主たる目的に加え、左右のファスナーストリンガーを離間する方向に力（いわゆる横引き力）がかかった際に、お互いに接触することで、支持部材と差込部材の係合の解除を防止したスライドファスナー用開離嵌挿具を提供することを目的としている。
【００１３】
更に、本考案は上述した主たる目的に加え、スライドファスナーにおけるサイドオープンタイプの開離嵌挿具において、ファスナーストリンガーの先端から突出部と膨出部が飛び出ることで操作時の視認性を向上させたスライドファスナーの開離嵌挿具を提供することを目的としている。
【００１４】
また更に本考案は、上述した主たる目的に加え、膨出部の下端部に、ファスナーストリ
ンガーの長手方向に向けて下り傾斜となるテーパー部を設けること、又は突出部を頭部と、頭部と差込板を連結する頭部より幅の細い連結部とすることで、差込部材の溝部への挿入をより容易にしたスライドファスナー用開離嵌挿具を提供することを目的としている。
【課題を解決するための手段】
【００１５】
上記目的は、本考案の基本構成である、一方のファスナーストリンガーの一端部に配置された支持部材と、他方のファスナーストリンガーの前記支持部材に対向する端部に配置された差込部材とを有するスライドファスナーの開離嵌挿具であって、前記支持部材の自由端部に前記差込部材の自由端部を差し込むための溝部を有しており、前記支持部材と前記差込部材との少なくとも一方に磁石が配され、少なくとも他方に磁性体が配されており、前記支持部材の前記溝部は、ファスナーストリンガーの長手方向と交差するように、差込部材の差し込み方向に斜めに形成されている、こと特徴とするスライドファスナー用開離嵌挿具により効果的に達成される。
【００１６】
本考案の好適な態様によれば、前記支持部材の前記溝部は、端部側側壁と、務歯側側壁と、前記端部側側壁及び務歯側側壁とによって挟まれた底部平面とを有し、溝断面は概ね、一辺が開放された四角形の形状に形成され、その底部平面のファスナー長手方向下端部には前記磁石又は磁性体が前記底部平面と略面一となるよう固着されている。前記溝部は、その前後端部が連通していることが好ましいが、上記突出部を挿入する側の端部が開放し、その奥側を閉鎖させてもよい。また、好ましくは前記支持部材の前記溝部は差込部材の差し込み方向に斜めに形成されており、前記差込部材の前記自由端部は前記溝部に向けて所定の差込み角度θで屈曲している。
【００１７】
支持部材の前記溝部の底部平面に固着される前記磁石又は磁性体の中心位置は、務歯噛合時の噛合中心線の延長線上に配されており、前記支持部材の前記差込部材との対向側面に前記差込部材の差込部が差し込まれる差込凹溝が形成されている。この差込凹溝の溝底は前記噛合中心線の延長線上に配される。
【００１８】
前記支持部材の自由端部に形成される前記溝部は、前記差込部材の前記自由端部の先端部に固着された磁石又は磁性体と、前記溝部の底部平面に固着された磁性体又は磁石とが溝内で吸引接合しているとき、前記差込部材が前記差込位置と上記務歯噛合時の噛合中心線との間を、磁性体又は磁石を中心として揺動可能な溝幅を有していることが望ましい。なお、前記磁性体及び／又は前記磁石は、同一直径の円盤からなることが好ましい。
【００１９】
また、前記支持部材と前記差込部材との自由端部は、その重合時における重合面を挟んで、それぞれが第１及び第２ファスナーストリンガーよりも肉厚な膨出部及び突出部に形成されてなることが好ましい。
【００２０】
また、前記左右のファスナーストリンガーの噛合状態において、左右のファスナーストリンガーが互いに離れる方向に力がかかったときに、前記溝部に挿入されている前記突出部と、前記溝部の前記端部側側壁とが接触し、端部側側壁が前記突出部のファスナーストリンガーの左右方向への移動を妨げるようにされるとよい。一方、前記膨出部の下端部表面には、ファスナーストリンガーの長手方向に向けて下り傾斜となるテーパー面が形成されているとよい。前記突出部は、頭部と、当該頭部及び差込部とを連結する連結部とを有していることが望ましい。前記スライドファスナー用開離嵌挿具を有するスライドファスナーにあって、第１及び第２ファスナーストリンガーの務歯同士が磁力により吸引可能に構成されていてもよい。
【考案の効果】
【００２１】
この考案は、サイドオープンタイプの開離嵌挿具にあって、支持部材と差込部材との各
自由端部を磁力をもって吸着できる磁性体を配しており、更には前記支持部材の自由端部に、差込部材の自由端部をファスナーストリンガーの長手方向と所定差込角度をもって挿入可能な溝部が斜めに形成されていることを最も特徴としている。かかる特徴ある構成のため、第１及び第２ファスナーストリンガーの端部に設けた支持部材と差込部材とを互いに重合するよう磁力により吸引して、両部材のセンター合わせが自動的になされ、また差込部材を支持部材の前記溝部に差込み方向に斜めに挿入したのち、吸着した前記磁性体を中心として差込部材を溝部の内部で幅方向に回動させて、差込部材の差込部を予めセットされたスライダーの上下フランジ間の間隙を通して定位置まで差し込み、開離嵌挿具を閉じ、スライダーを引き上げてスライドファスナーを閉鎖する。
【００２２】
また、開離嵌挿具を開離するときは、前述の操作と逆の順序で差込部材を操作することにより、簡単に差込部材をスライダー及び支持部材から外すことができる。本考案の開離操作は前述の操作に加えて、スライダーを開離嵌挿具を挿通状態となるまで引き下げたとき、その惰力によっても差込部材をスライダー及び支持部材から簡単に外すことが可能である。更に本考案の開離嵌挿具によれば、このように支持部材の重合面に沿った差込部材の移動操作によって支持部材を差込部材から分離することが簡単にできるだけでなく、重合面に垂直な方向への垂直操作によっても差込部材と支持部材とを簡単に分離させることが可能となる。
【００２３】
更に、本考案にあっては、支持部材の前記溝部の底部平面に固着される前記磁石又は磁性体の中心位置を、務歯噛合時の噛合中心線の延長線上に配し、前記支持部材の前記差込部材との対向側面に前記差込部材の差込部が差し込まれる差込凹溝を形成しており、この差込凹溝の溝底は前記噛合中心線の延長線上に配されている。そのため、スライドファスナーの閉鎖時には、務歯の噛合中心線上に支持部材の差込凹溝の底面と差込部材の差込板の支持部材との対向端縁とが一直線となって配されることになり、務歯の噛合時における形態の安定性が確保できる。
【００２４】
なお、本考案では、溝部が、端部側側壁と、務歯側側壁と、端部側側壁及び務歯側側壁とによって挟まれた底部平面とによって、溝断面が概ね、一辺が開放された四角形の形状に形成されており、その溝部を支持部材の表面を差込部材の差込み方向に斜めに連通させて形成していることから、差込部材を前記溝部に挿入するとき、磁石や磁性体の吸着面と溝部の底部平面とが面一にされているため、差込部材は抵抗なく溝部内に挿入され、しかも差込部材の自由端部の先端部に固着された磁石又は磁性体と前記溝部の先端部に固着された磁石又は磁性体とが中心部で吸着するため、自動的にセンター合わせができ、構造が簡単な上に格別のセンター合わせ操作や差込部材と支持部材との嵌脱操作が極めて簡単にできるようになる。特に、支持部材の磁性体と差込部材の磁性体とが同一直径の円盤からなる磁石であるときは、吸引力が向上し、突出部を溝部に挿入した際に、正しいセット位置へと効率よく誘導することができる。
【００２５】
前記支持部材と前記差込部材との自由端部は、その重合時における重合面を挟んで、それぞれが第１及び第２ファスナーストリンガーよりも肉厚な膨出部と突出部とされているため、ファスナーストリンガーの先端から突出部と膨出部とが突出し、開離嵌挿操作時の視認性を向上させることができる。また、第１及び第２ファスナーストリンガーが噛合状態にあるとき、第１及び第２ファスナーストリンガーに互いが離れる方向に力がかかったときは、前記溝部に挿入されている突出部が溝部の端部側側壁と接触し、端部側側壁が突出部の第１及び第２ファスナーストリンガーが幅方向に移動することを阻止するため、支持部材と差込部材の係合が解除されることが防止される。また、前記膨出部の下端部表面を、ファスナーストリンガーの長手方向に向けて下り傾斜となるテーパー面を形成し、又は突出部を頭部と、頭部と差込部とを連結する幅の狭い連結部とを形成すると、差込部材の溝部への挿入をより容易にする。
【図面の簡単な説明】
【００２６】
【図１】本考案の代表的な実施形態を示すサイドオープンタイプの開離嵌挿具を備えたスライドファスナーの正面図である。
【図２】同実施形態における第１及び第２ファスナーストリンガーが分離状態にあるときの支持部材、差込部材の斜視図である。
【図３】同支持部材の正面図である。
【図４】図３のIV-IV 線に沿った断面図である。
【図５】前記差込部材の正面図である。
【図６】ファスナーチェーンの拡開状態を示す正面図である。
【図７】ファスナーチェーンにおける閉鎖直前の状態を示す正面図である。
【図８】他の実施形態を示す開離嵌挿具の正面図である。
【図９】公知のサイドオープンタイプのファスナーチェーンを示す正面図である。
【図１０】他の公知のサイドオープンタイプのファスナーチェーンの分離斜視図である。
【図１１】更に他の公知のサイドオープンタイプのファスナーチェーンの分離斜視図である。
【考案を実施するための形態】
【００２７】
以下、本考案の代表的な実施形態を実施例に基づき図面を参照しながら具体的に説明する。
（実施例１）  
この考案のスライドファスナー用の開離嵌挿具５は、図１に示すようにファスナーチェーン１の下端の自由端部７ａ，８ａに取り付けられる。開離嵌挿具５は、図２に示すように、一方の第１ファスナーストリンガー２の下端に配置された支持部材７と、他方の第２ファスナーストリンガー２’の下端に配置された差込部材８とを有している。この実施形態における支持部材７は、務歯取付け側に配される差込板１０と、連結部１６を介して配される突出部２０とを有しており、差込部材８は、務歯取付け側に配される厚板状の保持部９と、その保持部９に連続して配される膨出部２１とを有している。突出部２０及び膨出部２１の重合面の一方には少なくとも磁石１８’，１８が固着されており、他方の重合面には磁性体１７，１７’又は磁石１８，１８’が固着され、突出部２０及び膨出部２１の磁気作用によって吸引して重合できるようにされ、且つその吸引中心を中心として支持部材７と差込部材８とが所定の角度を相対的に回動できるように構成されている。
【００２８】
ファスナーチェーン１は、ファスナーテープ３，３’の対向側縁に沿って各種タイプの務歯６，６’が多数取り付けられており、第１及び第２ファスナーストリンガー２，２’の下端部には熱可塑性樹脂フィルムからなる補強テープ２６，２６’を貼着され、開離嵌挿具５の取付強度を高めている。この補強テープ２６，２６’を含むファスナーテープ端部における一部の対向側縁には、図２及び図３に示すように開離嵌挿具の構成部材である上記支持部材７の上記保持部９及び膨出部２１の一部と、後述する支持部材７の側面に形成された差込凹溝２４へ嵌入できる差込部材８の差込板１０及び連結部１６とを成形一体化しており、差込部材８の上記突出部２０と、支持部材７の膨出部２１の残部とが、左右のファスナーテープ３，３’の長手方向端縁を越えて延出している。
【００２９】
この支持部材７及び差込部材８の主要部の材料には、ポリアミド、ポリアセタール、ポリプロピレン、ポリブチレンテレフタレートなどの熱可塑性樹脂、又はユリア樹脂、メラミン樹脂などの熱硬化性樹脂が用いられ、射出成形によって各ファスナーテープ３，３’に一体に成形される。
【００３０】
支持部材７の下端部分は、図２に示すように膨出部２１とされており、膨出部２１の表
面には、差込部材８の突出部２０を差し込むための、端部側側壁１２と、務歯側側壁１３と、端部側側壁１２及び務歯側側壁１３とによって挟まれた底部平面１４とをもつ溝部１５が形成されている。この溝部１５は、図２に示すように、溝断面が概ね、一辺が開放された四角形の形状に形成されており、その溝方向は、図３に示すとおり、差込部材８の突出部２０の差込み方向に沿って第２ファスナーストリンガー２’の長手方向と差込角度θで交差するように斜めに形成されている。
【００３１】
また、この溝部１５は、その溝長さ方向の前後端部が開放されて先狭に連通している。この溝部１５の底部平面１４の先端部には、磁石１８が吸着面が底部平面１４とほぼ面一又は僅かに表面に露出するように、吸着面を露呈させて固着されている。溝部１５の前記差込角度θは、操作性の点から概ね４５°程度が望ましいが、スライドファスナーの用途やサイズに応じて、１０°から８０°の範囲で適宜設定される。また、底部平面１４は、溝部１５の傾斜方向にある程度の勾配を有するテーパー面となっていてもよい。
【００３２】
なお、底部平面１４に配設された磁性体１７又は磁石１８は、支持部材７の成形時に一体に埋め込むか、支持部材７の成形時に磁性体１７又は磁石１８の嵌入凹部を成形し、成形後に磁性体１７又は磁石１８を前記嵌入凹部に嵌入させ、接着剤により接着又は超音波溶着し、或いは磁性体１７又は磁石１８を圧入し、支持部材７の弾性復帰による締め付け等などで、嵌入凹部内に保持する。また、支持部材７には、図３、図４に示すように、スライダー４を挿入して保持できる分厚い保持部９が務歯列側に形成されている。この保持部９の差込部材８との対向側面には差込部材８の差込板１０が嵌入できる差込凹溝２４が形成されている。
【００３３】
一方、前記保持部９の差込部材８とは反対側の側面には、図３及び図４に示すように、スライダー４のフランジを内側から案内するガイド面１１が形成される。このガイド面１１の形状は、スライダー４の内部側面と同じ形状であることが好ましい。更にはガイド面１１の支持部材下端部にスライダー４を停止させるための、保持部９よりも分厚い肉厚の停止部２３が形成される。更に支持部材７の、ファスナーチェーン１の開離嵌挿具５が配される側の端部には、その表面にファスナーチェーンの務歯列側に向けてなだらかに上傾斜面をもつテーパー部２２が形成されている。テーパー部２２を有することによって、差込部材８の上記突出部２０を支持部材７の上記溝部１５に挿入する際、支持部材７の下端部に突出部２０の一部が乗り上げてしまった場合でも、突出部２０はテーパー部２２によって溝部１５へとガイドされ、正しい位置にセットされる。
【００３４】
差込部材８は、図２及び図５に示すように、差込板１０の下端から第２ファスナーストリンガー２’の長手方向に延出する突出部２０を有している。この突出部２０の内部には、磁石１８’又は磁性体１７’が固着されている。突出部２０は、図２及び図５に示すように、円筒状の頭部１９と、差込板１０と頭部１９とを連結する連結部１６とから構成され、磁石１８’又は磁性体１７’は、頭部１９の中央に埋設又は一部を露出した状態で固着されている。差込部材８の上端には第１ファスナーストリンガー２の最下端の務歯６と噛合する噛合歯８ｂが差込板１０に成形一体化されている。
【００３５】
なお、差込部材８に配設される磁石１８’又は磁性体１７’は、差込部材８の成形時に埋め込んでおくか、差込部材８の成形時に磁石１８’又は磁性体１７’を嵌入する凹部を形成し、差込部材８の成形後に磁石１８’又は磁性体１７’を凹部に嵌入させ、接着剤で接着し又は超音波溶着し、或いは凹部に磁石１８’又は磁性体１７’を圧入して差込部材８の弾性変形により締め付けるなどして、凹部内に固着する。
【００３６】
また、差込部材８には、図５に示し既述したとおり、支持部材７の差込凹溝２４に嵌入でき、且つスライダー４の上下フランジ間の間隙を挿通できる厚さを有する差込板１０が
設けられ、この差込板１０の支持部材７とは反対側のテープ側側縁部にスライダー４の上下フランジ間の間隙よりも厚い肉厚をもつ外郭部２５を設けている。この外郭部２５の下端にスライダー４を停止させる停止部２３’を設け、該停止部２３’と段差をもって連結部１６を接続している。
【００３７】
次に、支持部材７及び差込部材８の使用態様の１例について説明すると、分離されている第１及び第２のファスナーストリンガー２，２’のうち、第１ファスナーストリンガー２の下端に固設された支持部材７の保持部９にスライダー４を保持した状態で、支持部材７に設けられた溝部１５に差込部材８に設けられた突出部２０を挿入させるように近づけると、支持部材７と差込部材８との双方に配した磁石１８，１８’、又は磁石１８と磁性体１７’とによって、突出部２０が、磁力の吸引で溝部１５に自動的に挿入されるとともに、図６に示すように、磁石１８，１８’同士又は磁石１８と磁性体１７’とが吸着してセンター合わせが自動的になされ、正しい位置にセットされる。セットされた後、図７に示すように、差込部材８を磁石１８，１８’同士又は磁石１８と磁性体１７’との吸着中心を中心として回動させて、その差込板１０を支持部材７に保持されているスライダー４のフランジ間の間隙に挿通させる。
【００３８】
更に保持部９の差込凹溝２４へと嵌入させるように、差込部材８を同方向に更に回動させて、スライダー４内に差込部材８を挿入した状態とする。この状態で、スライダー４を上止具２７，２７’に向けて引き上げると、一方のフランジ４ａが（図６参照）、差込部材８の上端に形成された噛合歯８ｂと上記外郭部２５との間の隙間８ｃを通り抜け、噛合歯８ｂが相手方の第１ファスナーストリンガー２の最下端に配された務歯６と噛合したのち、他の務歯６，６’同士を順次噛合させて、図１に示すように左右の務歯６，６’列は閉鎖される。
【００３９】
また、噛合状態にある第１及び第２ファスナーストリンガー２，２’を分離させるには、一方の第１ファスナーストリンガー２の支持部材７における保持部９の停止部２３までスライダー４を引き下げ、左右の務歯６，６’と噛合歯８ｂ及び最下端の務歯６との噛合状態を解除したのち、更に停止部２３までスライダー４を引き下げると、その間に差込部材８の上端に形成されている噛合歯８ｂがスライダー４の肩口から抜け出す。ここで、差込部材８を前記磁石１８，１８’同士又は磁石１８と磁性体１７’との吸着中心を中心として閉鎖時とは反対側に回動させると、差込部材８の差込板１０がスライダー４の一方のフランジ４ａ間の間隙を通り抜ける。このとき第２ファスナーストリンガー２’を支持部材７の溝部１５に沿った斜め上方に引き上げれば、支持部材７の溝部１５に挿入されていた差込部材８の突出部２０が、溝部１５の傾斜方向に沿って溝部１５から引き抜かれ、第１及び第２のファスナーストリンガー２，２’は完全に分離される。
【００４０】
なお、第１及び第２ファスナーストリンガー２，２’の分離操作は、上記操作の他に、スライダー４を引き下げ、左右のファスナーストリンガー２，２’の務歯６，６’の噛合状態を解除したのち、そのままスライダー４に同方向の力を加えると、溝部１５に挿入されている差込部材８の突出部２０を溝部１５の傾斜方向に沿って引き抜くことができる。すなわち、この場合はスライダー４を引き下ろすときの惰力を使っての簡単な操作で左右のファスナーストリンガー２，２’の分離が行える。
【００４１】
また、図１に示すように第１及び第２のファスナーストリンガー２，２’が噛合状態にあるとき、両ファスナーストリンガー２，２’の長手方向に対して斜めに形成された溝部１５に挿入されている突出部２０の頭部１９は同じく斜めの左右側壁１２，１３により近接して挟まれているため、第１及び第２のファスナーストリンガー２，２’にお互いが離れる横方向の力（いわゆる横引き力）がかかったとしても、突出部２０の頭部１９が左右側壁１２，１３のいずれかに接触して、端部側側壁１２が突出部２０を備えた差込部材８
の左右方向（幅方向）への移動を妨げる働きをするため、容易には突出部２０が溝部１５から外れることはない。
【００４２】
なお、磁石１８，１８’及び磁性体１７，１７’の吸引力によって、突出部２０が溝部１５の上述した正しい位置にセットされるためには、磁石１８，１８’及び磁性体１７，１７’の形状は、同一径を有する円柱状や球形の一部であることが好ましい。
【００４３】
この考案における磁性体１７，１７’と磁石１８，１８’とは、同一の磁性体や磁石の組み合わせのみではなく、磁石と磁石シート、磁石と磁性シート、又は磁性シートと磁性塗料、或いは磁石片と鉄板などを組み合わせて使用することができるが、磁性体１７，１７’が磁力を有する磁石である方が、磁性体１７，１７’の適正位置での強力な吸着効果を確実に得られ、より好ましい。
【００４４】
（実施例２）
図８は、本考案の他の実施例に係る開離嵌挿具の正面図である。この例は、スライダーを有さないタイプのスライドファスナーの開離嵌挿具に関するものであり、支持部材７０がスライダーを保持する保持部やスライダー停止部を有さない点で、上記実施例１と大きく異なる。スライダーを有さないタイプのスライドファスナーとしては、国際公開第２０１０／１００７４４号パンフレットにより既に提案されている。その構成は、左右一対のファスナーテープ３，３’の対向するテープ側縁部に、テープ長さ方向に沿って磁力を有する複数の磁性エレメント６１，６２がテープ表裏面に跨って列設されている。
【００４５】
磁性エレメント６１，６２は、テープ側縁部に固着する脚部６１ａ，６２ａと、同脚部６１ａ，６２ａからテープ幅方向に沿ってテープ外方に延在し、テープ長さ方向の前後に括れた首部６１ｂ，６２ｂと、首部６１ｂ，６２ｂの先端からテープ幅方向にテープ外方へ向けて延在し、テープ長さ方向の前後へ膨大する噛合頭部６１ｃ，６２ｃとを備えている。この磁性エレメント６１，６２は、噛合頭部６１ｃ，６２ｃが、噛合相手側の互いに隣接する前記磁性エレメント６１，６１，・・・；６２，６２，・・・の前記首部６１ｂ，６２ｂ間に、テープ表裏方向から前記磁力により嵌脱可能である。
【００４６】
前記各磁性エレメント６１，６２が噛合・分離する際に、一方の前記磁性エレメント６１又は６２が、他方の前記磁性エレメント６２又は６１と干渉することを回避し、テープ幅方向に沿った軸を中心に回転することを許容する回転許容部を有している。この回転許容部は、各磁性エレメント６１，６２のテープ第１面側の前後側面と、テープ第２面側の前後側面のうちの少なくとも１つの側面に配されている。
【００４７】
以上のとおり磁性エレメント６１，６２を採用することから、左右一対のファスナーストリンガー２，２’のそれぞれの下端に取り付けられた開離嵌挿具５０の支持部材７０及び差込部材８０は、膨出部７１及び突出部８１に関しては、上記実施例１と構造的に差異はないものの、支持部材７０の保持部の差込部材８０と対向する側面に差込部材８０の差込板部８２を差し込むための差込凹溝７３が形成されている。保持部は膨出部７１と同じ肉厚の平板からなり、上記実施例１のようにスライダー４のための停止部２３を有していない（図３参照）点で上記実施例１と異なっている。一方、支持部材７０の差込凹溝７３に差し込まれる差込部材８０の差込板部８２は、上記実施例１のように全体的に差込凹溝７３に差し込むに十分な厚さをもつ薄板からなるものではなく、必要部分だけを薄板上に形成し、残部は突出部８１と同じ肉厚に形成されており、スライダー４の停止部も有していない点で上記実施例１と異なっている。
【００４８】
この実施例２によれば、左右の磁性エレメント同士を磁力を利用して簡易に噛合・分離することができるだけでなく、開離嵌挿具５０の開離嵌挿操作も上記実施例１と同様に極
めて簡単に行うことができ、例えば簡易外衣などに適用するとよい。
【００４９】
以上の説明からも明らかなように、上記実施例１及び２では、溝部１５を務歯噛合側とテープ側との各端部を開放して連通させているが、この溝部１５は差込部材８，８０の突出部２０，８１を挿入することができる大きさを備えていればよく、必ずしも連通した溝とする必要はなく、差込口だけ開放して突出部２０，８１の外周を位置決めするように壁部分で囲んでもよい。また、溝部１５は、必ずしも断面を一辺が開放する概略四角形の形状に形成されている必要はなく、差込部材８，８０が挿入できる空間を形成できる形状であれば、曲面形状のような断面形状のものであってもよい。
【産業上の利用可能性】
【００５０】
上記構成の開離嵌挿具を設けることで、開離嵌挿具におけるセンター合わせ操作及び係脱操作が極めて容易な開離嵌挿具付きスライドファスナーとすることができ、特に子供、老人用の衣料品の前立て等に適用できる。
【符号の説明】
【００５１】
１                                  ファスナーチェーン
2,2',102,102',202,202'              第１及び第２ファスナーストリンガー
3,3',30,30'                         ファスナーテープ
４，１０４                          スライダー
５，５０                            開離嵌挿具
６，６’                            務歯
６１，６２                          磁性エレメント
61a,62a                             脚部
61b,62b                             首部
61c,62c                             噛合頭部
７，７０                            支持部材
８，８０                            差込部材
７ａ，８ａ                          自由端部
８ｂ                                噛合歯
８ｃ                                隙間
９                                  保持部
１０                                差込板
８２                                差込板部
１１                                ガイド面
１２                                端部側側壁
１３                                務歯側側壁
１４                                底部平面
１５                                溝部
１６                                連結部
１７，１７’                        磁性体
１８，１８’                        磁石
１９                                頭部
２０，８１                          突出部
２１，７１                          膨出部
２２                                テーパー部
２３，２３’                        停止部
２４，７３                          差込凹溝
２５                                外郭部
２６，２６’                        補強テープ
２７，２７’                        上止具
【図１】
0003170902.tif 000003
【図２】
0003170902.tif 000004
【図３】
0003170902.tif 000005
【図４】
0003170902.tif 000006
【図５】
0003170902.tif 000007
【図６】
0003170902.tif 000008
【図７】
0003170902.tif 000009
【図８】
0003170902.tif 000010
【図９】
0003170902.tif 000011
【図１０】
0003170902.tif 000012
【図１１】
0003170902.tif 000013